(57)【要約】【課題】圧入部の圧入の偏りを防止することができ、端子の導通不良を防止、コネクタの嵌合不良を防止、コネクタの嵌合力増加を抑制することができるコネクタを提供する。【解決手段】端子収容孔３を有するハウジング５と、端子収容孔３の内壁に圧入される圧入部７を有する端子９とを備えたコネクタ１において、圧入部７を、端子収容孔３に挿入される棒状の基部１１の側面から突設させ、端子収容孔３に、圧入部７が端子収容孔３の内壁に圧入されるときに、基部１１と摺動し基部１１が端子収容孔３への挿入方向と交差する方向に対して移動することを規制する規制部１３を設けた。【選択図】図４
2015038825.tif 000002
【特許請求の範囲】
【請求項１】
端子収容孔を有するハウジングと、前記端子収容孔の内壁に圧入される圧入部を有する端子とを備えたコネクタであって、
前記圧入部は、前記端子収容孔に挿入される棒状の基部の側面から突設され、
前記端子収容孔には、前記圧入部が前記端子収容孔の内壁に圧入されるときに、前記基部と摺動し前記基部が前記端子収容孔への挿入方向と交差する方向に対して移動することを規制する規制部が設けられていることを特徴とするコネクタ。
【請求項２】
請求項１記載のコネクタであって、
前記規制部は、前記基部と摺動する摺動面が前記基部を前記端子収容孔の中心に移動させるように傾斜状に設けられていることを特徴とするコネクタ。
【請求項３】
請求項１又は２記載のコネクタであって、
前記端子収容孔には、前記基部が前記端子収容孔に挿入されるときに、前記基部の先端と当接して前記基部を前記規制部に案内する案内部が設けられていることを特徴とするコネクタ。
【請求項４】
請求項１乃至３のいずれか１項に記載のコネクタであって、
前記規制部は、前記基部が前記端子収容孔に挿入された状態で、前記圧入部と離間して設けられていることを特徴とするコネクタ。
【発明の詳細な説明】
【技術分野】
【０００１】
本発明は、コネクタに関する。
【背景技術】
【０００２】
従来、コネクタとしては、端子収容孔としての貫通孔を有するハウジングと、貫通孔の内壁に圧入される圧入部を有する端子とを備えたものが知られている（例えば、特許文献１参照）。
【０００３】
このコネクタでは、端子の圧入部の挿入方向後方側に突出部が設けられ、貫通孔に突出部における挿入方向前方の領域を遊動規制状態で挟む規制部が設けられている。この構成により、端子の圧入部が貫通孔に圧入された状態で、貫通孔に対する端子の位置決めを行うことができ、端子のアライメントを出すことができる。
【先行技術文献】
【特許文献】
【０００４】
【特許文献１】特開２００９−１６１４８号公報
【発明の概要】
【発明が解決しようとする課題】
【０００５】
ところで、上記特許文献１のようなコネクタでは、圧入部の圧入後における端子収容孔に対する端子の位置決めを行うことができるが、圧入部の圧入途中における端子収容孔に対する端子の移動規制がなされていない。このため、圧入部が端子収容孔の内壁の一部分に偏って圧入されてしまう恐れがあった。
【０００６】
このような圧入部の圧入に偏りが発生してしまうと、圧入後の端子収容孔に対する端子の配置位置が端子収容孔の中心からずれてしまい、端子が接続される相手端子を収容する相手コネクタにコネクタを嵌合させた際に、端子と相手端子との間に導通不良、或いは端子と相手端子との対向面が干渉する、いわゆるドツキによるコネクタの嵌合不良、端子と相手端子との軸心ずれによって摺動の増加によるコネクタの嵌合力の増加などを引き起こす恐れがあった。
【０００７】
そこで、この発明は、圧入部の圧入の偏りを防止することができ、端子の導通不良を防止、コネクタの嵌合不良を防止、コネクタの嵌合力増加を抑制することができるコネクタの提供を目的としている。
【課題を解決するための手段】
【０００８】
請求項１記載の発明は、端子収容孔を有するハウジングと、前記端子収容孔の内壁に圧入される圧入部を有する端子とを備えたコネクタであって、前記圧入部は、前記端子収容孔に挿入される棒状の基部の側面から突設され、前記端子収容孔には、前記圧入部が前記端子収容孔の内壁に圧入されるときに、前記基部と摺動し前記基部が前記端子収容孔への挿入方向と交差する方向に対して移動することを規制する規制部が設けられていることを特徴とする。
【０００９】
このコネクタでは、端子収容孔に圧入部が端子収容孔の内壁に圧入されるときに、基部と摺動し基部が端子収容孔への挿入方向と交差する方向に対して移動することを規制する規制部が設けられているので、圧入部の端子収容孔の内壁への圧入途中で基部が挿入方向と交差する方向に移動することがなく、圧入部が端子収容孔の内壁に偏って圧入されることを防止することができる。
【００１０】
このため、端子は、圧入後の端子収容孔に対する配置位置が端子収容孔の中心からずれることがなく、コネクタと相手コネクタとを嵌合させた際に、安定して端子と相手端子とを接続させることができる。
【００１１】
従って、このようなコネクタでは、規制部によって圧入部の圧入途中で基部が挿入方向と交差する方向に移動することがないので、圧入部の圧入の偏りを防止することができ、端子の導通不良を防止、コネクタの嵌合不良を防止、コネクタの嵌合力増加を抑制することができる。
【００１２】
請求項２記載の発明は、請求項１記載のコネクタであって、前記規制部は、前記基部と摺動する摺動面が前記基部を前記端子収容孔の中心に移動させるように傾斜状に設けられていることを特徴とする。
【００１３】
このコネクタでは、規制部の基部と摺動する摺動面が基部を端子収容孔の中心に移動させるように傾斜状に設けられているので、簡易な構造で基部の端子収容孔に対する挿入姿勢を保持することができ、圧入部の圧入を安定化させることができる。
【００１４】
請求項３記載の発明は、請求項１又は２記載のコネクタであって、前記端子収容孔には、前記基部が前記端子収容孔に挿入されるときに、前記基部の先端と当接して前記基部を前記規制部に案内する案内部が設けられていることを特徴とする。
【００１５】
このコネクタでは、端子収容孔に基部が端子収容孔に挿入されるときに、基部の先端と当接して基部を規制部に案内する案内部が設けられているので、基部と規制部との摺動を確実に行わせることができる。
【００１６】
請求項４記載の発明は、請求項１乃至３のいずれか１項に記載のコネクタであって、前記規制部は、前記基部が前記端子収容孔に挿入された状態で、前記圧入部と離間して設けられていることを特徴とする。
【００１７】
このコネクタでは、規制部が基部が端子収容孔に挿入された状態で、圧入部と離間して設けられているので、圧入部の端子収容孔の内壁への圧入時に、圧入部と規制部とが干渉することを防止することができる。
【発明の効果】
【００１８】
本発明によれば、圧入部の圧入の偏りを防止することができ、端子の導通不良を防止、コネクタの嵌合不良を防止、コネクタの嵌合力増加を抑制することができるコネクタを提供することができるという効果を奏する。
【図面の簡単な説明】
【００１９】
【図１】本発明の実施の形態に係るコネクタと相手コネクタとの斜視図である。
【図２】本発明の実施の形態に係るコネクタの分解斜視図である。
【図３】本発明の実施の形態に係るコネクタの相手コネクタの分解斜視図である。
【図４】（ａ）は本発明の実施の形態に係るコネクタの端子収容孔に端子の基部を挿入するときの斜視図である。（ｂ）は図４（ａ）の要部拡大図である。
【図５】（ａ）は本発明の実施の形態に係るコネクタの端子収容孔に端子の基部を挿入したときの斜視図である。（ｂ）は図５（ａ）のＡ−Ａ断面図である。
【図６】（ａ）は本発明の実施の形態に係るコネクタの端子収容孔に端子の圧入部を圧入したときの斜視図である。（ｂ）は図６（ａ）のＢ−Ｂ断面図である。
【発明を実施するための形態】
【００２０】
図１〜図６を用いて本発明の実施の形態に係るコネクタについて説明する。
【００２１】
本実施の形態に係るコネクタ１は、端子収容孔３を有するハウジング５と、端子収容孔３の内壁に圧入される圧入部７を有する端子９とを備えている。
【００２２】
また、圧入部７は、端子収容孔３に挿入される棒状の基部１１の側面から突設されている。
【００２３】
そして、端子収容孔３には、圧入部７が端子収容孔３の内壁に圧入されるときに、基部１１と摺動し基部１１が端子収容孔３への挿入方向と交差する方向に対して移動することを規制する規制部１３が設けられている。
【００２４】
また、規制部１３は、基部１１と摺動する摺動面が基部１１を端子収容孔３の中心に移動させるように傾斜状に設けられている。
【００２５】
さらに、端子収容孔３には、基部１１が端子収容孔３に挿入されるときに、基部１１の先端と当接して基部１１を規制部１３に案内する案内部１５が設けられている。
【００２６】
また、規制部１３は、基部１１が端子収容孔３に挿入された状態で、圧入部７と離間して設けられている。
【００２７】
図１〜図６に示すように、ハウジング５は、合成樹脂などの絶縁性材料からなり、筐体状に形成されている。このハウジング５は、電子部品などが表面に実装された回路基板（不図示）の表面に、両側面に形成された固定部１７に圧入などによって組付けられるペグ１９を介して固定されて載置される。このようなハウジング５は、一端側が開口され内部に相手コネクタ２３が嵌合される嵌合部２１が設けられている。
【００２８】
相手コネクタ２３は、アウタハウジング２５と、インナハウジング２７と、相手端子２９とを備えている。
【００２９】
アウタハウジング２５は、合成樹脂などの絶縁性材料からなり、筐体状に形成されている。このアウタハウジング２５は、ハウジング５の嵌合部２１内に嵌合可能であり、内部にインナハウジング２７が収容される。
【００３０】
インナハウジング２７は、合成樹脂などの絶縁性材料からなり、アウタハウジング２５内に収容可能なように筐体状に形成されている。このインナハウジング２７は、内部に複数の相手端子２９が収容される複数の端子収容室が形成され、各端子収容室にそれぞれ相手端子２９が収容された状態で、アウタハウジング２５内に収容される。
【００３１】
なお、インナハウジング２７がアウタハウジング２５に収容された状態では、アウタハウジング２５の底壁面側からインナハウジング２７に向けてスペーサ３１が挿入され、このスペーサ３１によって相手端子２９の抜け止めがなされる。
【００３２】
複数の相手端子２９は、導電性材料からなり、箱状の接続部３３を有する雌型端子からなる。この相手端子２９は、電源や機器などに接続された電線の端末部に電気的に接続されている。このような相手端子２９は、箱状の接続部３３側からインナハウジング２７の端子収容室に挿入され、箱状の接続部３３がインナハウジング２７の端子収容室内に配置される。
【００３３】
このような相手コネクタ２３は、ハウジング５の嵌合部２１内に嵌合され、ハウジング５内に収容された端子９に相手端子２９が電気的に接続される。このハウジング５の嵌合部２１内には、壁部３５を貫通する複数の端子収容孔３が設けられ、嵌合部２１の相手コネクタ２３との嵌合面と反対側の開口から挿入される複数の端子９の基部１１が複数の端子収容孔３を挿通して配置される。
【００３４】
複数の端子９は、導電性材料からなり、タブ状の接続部としての基部１１を有する雄型端子からなる。この端子９は、Ｌ字状に形成され、基部１１と、基板接続部３７と、圧入部７と、押圧部３９とを備えている。
【００３５】
基部１１は、端子９の一端側に断面四角形状の棒状に形成され、ハウジング５の端子収容孔３を挿通して嵌合部２１内に配置される。この基部１１は、ハウジング５の嵌合部２１に相手コネクタ２３が嵌合することにより、相手コネクタ２３内に収容された相手端子２９の接続部３３が接続され、端子９と相手端子２９とが電気的に接続される。
【００３６】
基板接続部３７は、端子９の他端側に設けられ、回路基板の回路を形成する導体部に接続される。この基板接続部３７は、ハウジング５に端子９が組付けられた状態で、ハウジング５を回路基板上に配置することにより、回路基板の導体部に半田付けされ、端子９と回路基板とが電気的に接続される。
【００３７】
圧入部７は、基部１１の両側面からそれぞれ一対突設されており、第１圧入部４１と、第２圧入部４３とを備えている。
【００３８】
第１圧入部４１は、第２圧入部４３より基部１１の端子収容孔３への挿入方向前側に位置されている。この第１圧入部４１は、挿入方向前側から後側に向けて上り傾斜となる傾斜面を有するように基部１１の両側面から突設されており、突出長さが第２圧入部４３より小さくなるように設定されている。
【００３９】
第２圧入部４３は、第１圧入部４１より基部１１の端子収容孔３への挿入方向後側に位置されている。この第２圧入部４３は、第１圧入部４１と同様に、挿入方向前側から後側に向けて上り傾斜となる傾斜面を有するように基部１１の両側面から突設されており、突出長さが第１圧入部４１より大きくなるように設定されている。
【００４０】
この圧入部７は、端子９の基部１１を端子収容孔３内に挿入することにより、まず、第１圧入部４１が端子収容孔３の内壁に圧入される。次に、さらに端子９の基部１１を端子収容孔３内に挿入することにより、第２圧入部４３が端子収容孔３の内壁に圧入される。この圧入部７の端子収容孔３の内壁への圧入により、端子収容孔３を挿通する端子９の基部１１のハウジング５の嵌合部２１内における配置位置が固定される。
【００４１】
押圧部３９は、基部１１の両側面からそれぞれ一対突設されており、圧入部７より基部１１の端子収容孔３への挿入方向後側に位置されている。この押圧部３９は、基部１１の両側面から凸状に突設されており、突出長さが圧入部７の第２圧入部４３より大きくなるように設定されている。
【００４２】
この押圧部３９は、端子９の基部１１を端子収容孔３内に挿入する際、すなわち圧入部７を端子収容孔３の内壁に圧入させる際に、治具などによって挿入方向後側に位置する押圧面４５が押圧され、基部１１を端子収容孔３に挿通させる。
【００４３】
このような押圧部３９の押圧による基部１１の端子収容孔３への挿通は、押圧部３９の挿入方向前側に位置する当接面が端子収容孔３の開口位置に設けられた収容部４７の突当面４９に当接することによって完了する。なお、収容部４７の幅は、押圧部３９より僅かに大きく設定されており、圧入部７と干渉しないように設定されている。
【００４４】
このような圧入部７の端子収容孔３の内壁への圧入において、端子９の基部１１が端子収容孔３の中心からずれながら挿入されてしまうと、例えば、基部１１の両側に位置する圧入部７において、一側の圧入部７と他側の圧入部７との圧入に差が生じる。
【００４５】
このような圧入部７における圧入の差により、基部１１が端子収容孔３内で偏った状態で保持されてしまい、基部１１と端子収容孔３との間の隙間Ｌ１，Ｌ２に差が生じてしまう。このような状態でコネクタ１と相手コネクタ２３とが嵌合してしまうと、端子９の基部１１と相手端子２９の接続部３３との間に導通不良、或いは端子９と相手端子２９との対向面が干渉する、いわゆるドツキによるコネクタの嵌合不良、端子９と相手端子２９との軸心ずれによって摺動の増加によるコネクタの嵌合力の増加などを引き起こす恐れがある。そこで、端子収容孔３には、規制部１３が設けられている。
【００４６】
規制部１３は、端子収容孔３の底部側の両側に、基部１１の端子収容孔３への挿入方向に沿って連続して設けられている。この規制部１３は、基部１１と摺動する摺動面が上方に向けて上り傾斜となる傾斜状に設けられている。このように規制部１３を傾斜状に設けることにより、規制部１３が基部１１と摺動した際、図５（ｂ）の矢印で示すように、基部１１を端子収容孔３の中心側に向けて移動させることができる。
【００４７】
この規制部１３に基部１１を摺動させることによって、圧入部７の端子収容孔３への圧入時における挿入方向と交差する方向（例えば、図５に示すようなＸ方向やＹ方向）への基部１１の移動が規制され、基部１１の端子収容孔３への挿入方向（図５に示すＺ方向）と平行に基部１１を安定して挿入することができる。
【００４８】
このため、基部１１の両側に位置する圧入部７において、一側の圧入部７と他側の圧入部７との圧入に差が生じることがなく、基部１１が端子収容孔３内で偏った状態で保持されることがない。
【００４９】
従って、基部１１と端子収容孔３との間の隙間Ｌ１，Ｌ２に差が生じることがなく、コネクタ１と相手コネクタ２３との嵌合による端子９の基部１１と相手端子２９の接続部３３との接続を確実に行うことができ、端子９と相手端子２９との導通不良を防止することができる。加えて、端子９と相手端子２９とのドツキによるコネクタの嵌合不良や端子９と相手端子２９との軸心ずれによって摺動の増加によるコネクタの嵌合力増加を防止することができる。
【００５０】
ここで、規制部１３は、基部１１が端子収容孔３に挿入された状態で、規制部１３と圧入部７とが干渉することがないように、圧入部７と離間して設けられている。このため、圧入部７の端子収容孔３への圧入時には、圧入部７が規制部１３に接触することがなく、規制部１３が圧入部７の圧入を阻害することがない。このような規制部１３が設けられた端子収容孔３には、案内部１５が設けられている。
【００５１】
案内部１５は、端子収容孔３の開口端に設けられ、規制部１３の摺動面に連続するように傾斜された傾斜面を有する。この案内部１５は、端子９の基部１１が端子収容孔３に挿入されるときに、基部１１の先端と当接して基部１１を規制部１３の摺動面に案内する。このような案内部１５により、端子９の基部１１と規制部１３とを確実に摺動させることができる。
【００５２】
このように構成されたコネクタ１における端子９の圧入部７の端子収容孔３への圧入は、まず、端子９の基部１１を端子収容孔３に挿入させる。このとき、基部１１の先端が案内部１５に当接され、基部１１が規制部１３に案内される。
【００５３】
次に、治具などによって押圧部３９の押圧面４５を押圧し、基部１１を端子収容孔３内へ挿入させ、圧入部７を端子収容孔３の内壁に圧入させる。このとき、基部１１が規制部１３に摺動され、基部１１の挿入方向と交差する方向への移動が規制される。
【００５４】
そして、押圧部３９が収容部４７の突当面４９に当接するまで押圧部３９を押圧し、圧入部７の端子収容孔３への圧入を完了する。この圧入部７の圧入後の状態であっても、基部１１は、規制部１３によって挿入方向と交差する方向への移動が規制されているので、端子収容孔３に対する基部１１の位置ずれが発生することがない。
【００５５】
このようなコネクタ１では、端子収容孔３に圧入部７が端子収容孔３の内壁に圧入されるときに、基部１１と摺動し基部１１が端子収容孔３への挿入方向と交差する方向に対して移動することを規制する規制部１３が設けられているので、圧入部７の端子収容孔３の内壁への圧入途中で基部１１が挿入方向と交差する方向に移動することがなく、圧入部７が端子収容孔３の内壁に偏って圧入されることを防止することができる。
【００５６】
このため、端子９は、圧入後の端子収容孔３に対する配置位置が端子収容孔３の中心からずれることがなく、コネクタ１と相手コネクタ２３とを嵌合させた際に、安定して端子９と相手端子２９とを接続させることができる。
【００５７】
従って、このようなコネクタ１では、規制部１３によって圧入部７の圧入途中で基部１１が挿入方向と交差する方向に移動することがないので、圧入部７の圧入の偏りを防止することができ、端子９の導通不良を防止、コネクタの嵌合不良を防止、コネクタの嵌合力増加を抑制することができる。
【００５８】
また、規制部１３は、基部１１と摺動する摺動面が基部１１を端子収容孔３の中心に移動させるように傾斜状に設けられているので、簡易な構造で基部１１の端子収容孔３に対する挿入姿勢を保持することができ、圧入部７の圧入を安定化させることができる。
【００５９】
さらに、端子収容孔３には、基部１１が端子収容孔３に挿入されるときに、基部１１の先端と当接して基部１１を規制部１３に案内する案内部１５が設けられているので、基部１１と規制部１３との摺動を確実に行わせることができる。
【００６０】
また、規制部１３は、基部１１が端子収容孔３に挿入された状態で、圧入部７と離間して設けられているので、圧入部７の端子収容孔３の内壁への圧入時に、圧入部７と規制部１３とが干渉することを防止することができる。
【００６１】
なお、本発明の実施の形態に係るコネクタでは、規制部が端子収容孔に挿入方向に沿って連続して設けられているが、これに限らず、例えば、挿入方向に沿って複数設けられた突起などで規制部を構成するなど、規制部は挿入方向に沿って不連続に設けられていてもよい。
【００６２】
また、圧入部は、基部の両側面に一対設けられているが、これに限らず、例えば、基部の上側或いは下側半分に鍔状に圧入部を設けるなど、端子収容孔の内壁に圧入部を圧入できるものであれば、圧入部の形態はどのようなものであってもよい。
【符号の説明】
【００６３】
１…コネクタ
３…端子収容孔
５…ハウジング
７…圧入部
９…端子
１１…基部
１３…規制部
１５…案内部
【図１】
2015038825.tif 000003
【図２】
2015038825.tif 000004
【図３】
2015038825.tif 000005
【図４】
2015038825.tif 000006
【図５】
2015038825.tif 000007
【図６】
2015038825.tif 000008